(57)【要約】【課題】記憶されている表示設定情報を用いて手話映像を表示する手話映像表示装置を提供する。【解決手段】番組の映像である番組映像を受け付ける番組映像受付部１１と、番組映像に対応した手話の映像である手話映像を受け付ける手話映像受付部１２と、手話映像を表示する位置に関する情報である位置情報を含む表示設定情報が記憶される表示設定情報記憶部１４と、表示設定情報記憶部１４から表示設定情報を取得する表示設定情報取得部１５と、表示設定情報取得部１５が取得した表示設定情報に応じて、手話映像受付部１２が受け付けた手話映像と、番組映像受付部１１が受け付けた番組映像とを表示する表示部１６と、を備える。【選択図】図１
2010147649.tif 000002
【特許請求の範囲】
【請求項１】
番組の映像である番組映像を受け付ける番組映像受付部と、
前記番組映像に対応した手話の映像である手話映像を受け付ける手話映像受付部と、
前記手話映像を表示する位置に関する情報である位置情報を含む表示設定情報が記憶される表示設定情報記憶部と、
前記表示設定情報記憶部から表示設定情報を取得する表示設定情報取得部と、
前記表示設定情報取得部が取得した表示設定情報に応じて、前記手話映像受付部が受け付けた手話映像と、前記番組映像受付部が受け付けた番組映像とを表示する表示部と、を備えた手話映像表示装置。
【請求項２】
前記表示設定情報は、前記手話映像を表示する大きさに関する情報である大きさ情報をも含んでいる、請求項１記載の手話映像表示装置。
【請求項３】
前記番組映像受付部が受け付ける番組映像に関連する情報である番組関連情報を受け付ける番組関連情報受付部をさらに備え、
前記表示設定情報記憶部において、前記表示設定情報は、番組関連情報に対応付けられて記憶されており、
前記表示設定情報取得部は、前記番組関連情報受付部が受け付けた番組関連情報に対応する表示設定情報を取得する、請求項１または請求項２記載の手話映像表示装置。
【請求項４】
前記番組関連情報は、番組映像のジャンルを示す情報を含む、請求項３記載の手話映像表示装置。
【請求項５】
前記番組関連情報は、番組映像の名称を示す情報を含む、請求項３または請求項４記載の手話映像表示装置。
【請求項６】
前記番組映像受付部が受け付けた番組映像から表示設定情報を生成し、前記表示設定情報記憶部に蓄積する表示設定情報生成部をさらに備えた、請求項１記載の手話映像表示装置。
【請求項７】
前記表示設定情報生成部は、前記番組映像受付部が受け付けた番組映像に対して動き検出を行い、動きのない領域に前記手話映像を表示する表示設定情報を生成する、請求項６記載の手話映像表示装置。
【請求項８】
前記手話映像によって覆われたくないオブジェクトを特定するための情報であるオブジェクト特定情報が記憶されるオブジェクト特定情報記憶部をさらに備え、
前記表示設定情報生成部は、前記番組映像受付部が受け付けた番組映像に、前記オブジェクト特定情報で特定されるオブジェクトが存在する場合に、当該オブジェクトを覆わない領域に前記手話映像を表示する表示設定情報を生成する、請求項６または請求項７記載の手話映像表示装置。
【請求項９】
前記表示設定情報取得部は、前記表示設定情報の取得を繰り返し、
前記表示部は、前記表示設定情報取得部が表示設定情報を取得するごとに、最新の表示設定情報に応じて手話映像を表示する、請求項６から請求項８のいずれか記載の手話映像表示装置。
【請求項１０】
前記表示設定情報取得部は、定期的に最新の表示設定情報を取得する、請求項９記載の手話映像表示装置。
【請求項１１】
前記表示設定情報取得部は、前記表示設定情報記憶部に新たに生成された表示設定情報が記憶されるごとに、最新の表示設定情報を取得する、請求項９記載の手話映像表示装置。
【請求項１２】
番組映像受付部と、手話映像受付部と、手話の映像である手話映像を表示する位置に関する情報である位置情報を含む表示設定情報が記憶される表示設定情報記憶部と、表示設定情報取得部と、表示部とを用いて処理される手話映像表示方法であって、
前記番組映像受付部が、番組の映像である番組映像を受け付ける番組映像受付ステップと、
前記手話映像受付部が、前記番組映像に対応した手話の映像である手話映像を受け付ける手話映像受付ステップと、
前記表示設定情報取得部が、前記表示設定情報記憶部から表示設定情報を取得する表示設定情報取得ステップと、
前記表示部が、前記表示設定情報取得ステップで取得した表示設定情報に応じて、前記手話映像受付ステップで受け付けた手話映像と、前記番組映像受付ステップで受け付けた番組映像とを表示する表示ステップと、を備えた手話映像表示方法。
【請求項１３】
コンピュータを、
番組の映像である番組映像を受け付ける番組映像受付部、
前記番組映像に対応した手話の映像である手話映像を受け付ける手話映像受付部、
前記手話映像を表示する位置に関する情報である位置情報を含む表示設定情報が記憶される表示設定情報記憶部から表示設定情報を取得する表示設定情報取得部、
前記表示設定情報取得部が取得した表示設定情報に応じて、前記手話映像受付部が受け付けた手話映像と、前記番組映像受付部が受け付けた番組映像とを表示する表示部、として機能させるためのプログラム。
【発明の詳細な説明】
【技術分野】
【０００１】
本発明は、番組映像と手話映像とを表示する手話映像表示装置等に関する。
【背景技術】
【０００２】
従来、番組映像と、その番組映像に関する手話映像とを表示する場合があった。その場合に、手話映像の表示位置が決まっていることがあった（例えば、特許文献１参照）。
【特許文献１】特開２００６−１３５８２８号公報
【発明の開示】
【発明が解決しようとする課題】
【０００３】
手話映像が番組映像の表示領域内に表示される場合（例えば、番組映像の右上の領域などに、番組映像よりも小さい大きさの手話映像を表示する場合など）であって、手話映像の表示位置が決まっている場合には、不都合が生じる場合などがある。例えば、その番組映像において重要な領域が、手話映像によって隠されてしまう場合などである。
【０００４】
本発明は、このような課題を解決するためになされたものであり、記憶されている表示設定情報を用いて、手話映像を表示する手話映像表示装置等を提供することを目的とする。
【課題を解決するための手段】
【０００５】
上記目的を達成するため、本発明による手話映像表示装置は、番組の映像である番組映像を受け付ける番組映像受付部と、前記番組映像に対応した手話の映像である手話映像を受け付ける手話映像受付部と、前記手話映像を表示する位置に関する情報である位置情報を含む表示設定情報が記憶される表示設定情報記憶部と、前記表示設定情報記憶部から表示設定情報を取得する表示設定情報取得部と、前記表示設定情報取得部が取得した表示設定情報に応じて、前記手話映像受付部が受け付けた手話映像と、前記番組映像受付部が受け付けた番組映像とを表示する表示部と、を備えたものである。
【０００６】
このような構成により、表示設定情報で示される表示位置に手話映像を表示することができる。その結果、表示設定情報が適切に設定されることによって、番組映像の重要な領域を隠さないように手話映像を表示することができるようになる。
【０００７】
また、本発明による手話映像表示装置では、前記表示設定情報は、前記手話映像を表示する大きさに関する情報である大きさ情報をも含んでいてもよい。
このような構成により、表示設定情報によって、手話映像の大きさをも設定することができるようになる。
【０００８】
また、本発明による手話映像表示装置では、前記番組映像受付部が受け付ける番組映像に関連する情報である番組関連情報を受け付ける番組関連情報受付部をさらに備え、前記表示設定情報記憶部において、前記表示設定情報は、番組関連情報に対応付けられて記憶されており、前記表示設定情報取得部は、前記番組関連情報受付部が受け付けた番組関連情報に対応する表示設定情報を取得してもよい。
【０００９】
このような構成により、番組関連情報に応じて表示設定情報を変更することができうる。例えば、ニュースなどでは、アナウンサーの顔や、ニュースのタイトル等をできるだけ隠さないように、右下や、左下に手話映像が表示されるように表示設定情報を設定することもできうる。また、表示設定情報によって手話映像の大きさも設定できる場合には、例えば、ニュースでは、手話映像が大きく表示されるように設定し、ドラマでは、手話映像が小さく表示されるように設定してもよい。ニュースでは、アナウンサーの発話内容が重要であり、ドラマでは、俳優等の演技が重要であると考えられるからである。
【００１０】
また、本発明による手話映像表示装置では、前記番組関連情報は、番組映像のジャンルを示す情報を含んでもよく、番組映像の名称を示す情報を含んでもよい。
このような構成により、番組のジャンルや名称に応じて、表示設定情報を設定することができうる。
【００１１】
また、本発明による手話映像表示装置では、前記番組映像受付部が受け付けた番組映像から表示設定情報を生成し、前記表示設定情報記憶部に蓄積する表示設定情報生成部をさらに備えてもよい。
【００１２】
このような構成により、手話映像が表示される番組映像に応じた適切な表示設定情報を用いて、手話映像を表示することができうる。その結果、番組映像の重要な領域を隠さないように手話映像を表示することができるようになりうる。
【００１３】
また、本発明による手話映像表示装置では、前記表示設定情報生成部は、前記番組映像受付部が受け付けた番組映像に対して動き検出を行い、動きのない領域に前記手話映像を表示する表示設定情報を生成してもよい。
このような構成により、「動きのある領域はユーザが見たい領域である」という仮定の基に、ユーザが見たい領域を隠さないように表示設定情報を生成することができうる。
【００１４】
また、本発明による手話映像表示装置では、前記手話映像によって覆われたくないオブジェクトを特定するための情報であるオブジェクト特定情報が記憶されるオブジェクト特定情報記憶部をさらに備え、前記表示設定情報生成部は、前記番組映像受付部が受け付けた番組映像に、前記オブジェクト特定情報で特定されるオブジェクトが存在する場合に、当該オブジェクトを覆わない領域に前記手話映像を表示する表示設定情報を生成してもよい。
【００１５】
このような構成により、ユーザが見たいと考えられるオブジェクトを、オブジェクト特定情報によって特定しておくことによって、ユーザが見たいオブジェクトを隠さないように表示設定情報を生成することができうる。
【００１６】
また、本発明による手話映像表示装置では、前記表示設定情報取得部は、前記表示設定情報の取得を繰り返し、前記表示部は、前記表示設定情報取得部が表示設定情報を取得するごとに、最新の表示設定情報に応じて手話映像を表示してもよい。
このような構成により、表示設定情報が書き換えられる場合においても、その書き換えられた後の表示設定情報を用いて手話映像を表示することができるようになる。
【００１７】
また、本発明による手話映像表示装置では、前記表示設定情報取得部は、定期的に最新の表示設定情報を取得してもよく、前記表示設定情報記憶部に新たに生成された表示設定情報が記憶されるごとに、最新の表示設定情報を取得してもよい。
【００１８】
このような構成により、定期的に、あるいは、新たな表示設定情報が記憶されるごとに、表示設定情報を取得することができ、その取得後の表示設定情報を用いて手話映像を表示することができる。
【発明の効果】
【００１９】
本発明による手話映像表示装置等によれば、記憶されている表示設定情報を用いて、手話映像を表示することができ、例えば、番組映像において重要な領域が、手話映像によって隠されないようにすることができうる。
【発明を実施するための最良の形態】
【００２０】
以下、本発明による手話映像表示装置について、実施の形態を用いて説明する。なお、以下の実施の形態において、同じ符号を付した構成要素及びステップは同一または相当するものであり、再度の説明を省略することがある。
【００２１】
（実施の形態１）
本発明の実施の形態１による手話映像表示装置について、図面を参照しながら説明する。本実施の形態による手話映像表示装置は、番組映像に関連する番組関連情報をも受け付け、その番組関連情報を用いて、手話映像の表示を行うものである。
【００２２】
図１は、本実施の形態による手話映像表示装置１の構成を示すブロック図である。本実施の形態による手話映像表示装置１は、番組映像受付部１１と、手話映像受付部１２と、番組関連情報受付部１３と、表示設定情報記憶部１４と、表示設定情報取得部１５と、表示部１６とを備える。
【００２３】
番組映像受付部１１は、番組の映像である番組映像を受け付ける。番組映像は、例えば、ドラマや、映画、ニュース、ドキュメンタリー、スポーツ等の映像であり、そのジャンルを問わない。また、番組映像のデータ形式も問わない。例えば番組情報は、アナログのデータであってもよく、デジタルのデータであってもよい。後者の場合に、番組映像の形式は、例えば、ＭＰＥＧ（Ｍｏｖｉｎｇ  Ｐｉｃｔｕｒｅ  Ｅｘｐｅｒｔｓ  Ｇｒｏｕｐ）であってもよく、ＡＶＩ（Ａｕｄｉｏ  Ｖｉｄｅｏ  Ｉｎｔｅｒｌｅａｖｅ）であってもよく、あるいは、その他の形式であってもよい。また、その番組映像が圧縮されている場合に、その圧縮形式も問わない。番組映像は、音声の情報を含んでいてもよく、あるいは、含んでいてもよい。
【００２４】
番組映像受付部１１は、例えば、カメラ等のデバイスから入力された番組映像を受け付けてもよく、有線もしくは無線の通信回線を介して送信された番組映像を受信してもよく、所定の記録媒体（例えば、光ディスクや磁気ディスク、半導体メモリなど）から読み出された番組映像を受け付けてもよい。本実施の形態では、放送された番組映像を受信する場合について説明する。なお、番組映像受付部１１は、受け付けを行うためのデバイス（例えば、モデムやネットワークカードなど）を含んでもよく、あるいは含まなくてもよい。また、番組映像受付部１１は、ハードウェアによって実現されてもよく、あるいは所定のデバイスを駆動するドライバ等のソフトウェアによって実現されてもよい。
【００２５】
手話映像受付部１２は、番組映像に対応した手話の映像である手話映像を受け付ける。この手話映像は、番組映像受付部１１が受け付けた番組映像に対応するものである。したがって、聴覚障害者が番組映像と、その番組映像に対応した手話映像とを見ることによって、番組映像に対応する音声の情報を知ることができることになる。手話映像は、例えば、ＣＧ（Ｃｏｍｐｕｔｅｒ  Ｇｒａｐｈｉｃｓ）の映像であってもよく、アニメーションの映像であってもよく、実写の映像であってもよい。この手話映像が生成される過程は問わない。例えば、放送局において、番組映像と、手話映像とが生成され、それらが同期されて放送されてもよく、番組映像（例えば、放送されたものでもよく、記録媒体から読み出されたものでもよい）に対応する手話通訳が手話通訳者によって行われ、その手話通訳者の映像を撮影することによって手話映像が生成されてもよく、番組映像に対応するテキスト情報（例えば、番組映像に対応する字幕情報であってもよく、番組映像に対応する音声情報を音声認識することによって得られたテキスト情報であってもよい）を用いて自動的に手話映像が生成されてもよく、その他の手法で生成されてもよい。
【００２６】
手話映像受付部１２は、例えば、カメラ等のデバイスから入力された手話映像を受け付けてもよく、有線もしくは無線の通信回線を介して送信された手話映像を受信してもよく、所定の記録媒体（例えば、光ディスクや磁気ディスク、半導体メモリなど）から読み出された手話映像を受け付けてもよい。なお、手話映像受付部１２は、受け付けを行うためのデバイス（例えば、モデムやネットワークカードなど）を含んでもよく、あるいは含まなくてもよい。また、手話映像受付部１２は、ハードウェアによって実現されてもよく、あるいは所定のデバイスを駆動するドライバ等のソフトウェアによって実現されてもよい。
【００２７】
なお、番組映像受付部１１が受け付ける番組映像と、手話映像受付部１２が受け付ける手話映像とは、同期を取ることができるようになっている、すなわち、時間的な位置の対応が分かるようになっていることが好適である。例えば、時間的な位置が対応している番組映像と手話映像とのそれぞれが、番組映像受付部１１と手話映像受付部１２とにおいて同時に受け付けられてもよく、両者にタイムコードが含まれており、そのタイムコードを用いて両者の同期を取ることができるようになっていてもよい。
【００２８】
番組関連情報受付部１３は、番組映像受付部１１が受け付ける番組映像に関連する情報である番組関連情報を受け付ける。番組関連情報は、例えば、番組映像のジャンルを示す情報を含んでいてもよく、番組映像の名称を示す情報を含んでいてもよく、番組の内容に関する情報（例えば、番組のトピックや、番組に登場する俳優の氏名等であってもよい）を含んでいてもよく、番組についての説明の情報を含んでいてもよく、その他の情報を含んでいてもよい。また、番組関連情報は、ＥＰＧ（Ｅｌｅｃｔｒｏｎｉｃ  Ｐｒｏｇｒａｍ  Ｇｕｉｄｅ：電子番組ガイド）の情報そのものであってもよく、その情報の一部であってもよい。このＥＰＧの情報は、例えば、ＳＩ情報（公式番組情報）と呼ばれることもある。
【００２９】
番組関連情報受付部１３が番組関連情報を受け付ける過程は問わない。番組関連情報受付部１３は、例えば、インターネット等のネットワーク上のサーバから番組関連情報を受信してもよく、放送された番組関連情報を受信してもよく、番組映像に重畳されている番組関連情報を受け付けてもよく、所定の記録媒体（例えば、光ディスクや磁気ディスク、半導体メモリなど）から読み出された番組関連情報を受け付けてもよい。本実施の形態では、番組関連情報受付部１３は、番組映像に重畳されている番組関連情報を受け付けるものとする。なお、番組関連情報受付部１３は、受け付けを行うためのデバイス（例えば、モデムやネットワークカードなど）を含んでもよく、あるいは含まなくてもよい。また、番組関連情報受付部１３は、ハードウェアによって実現されてもよく、あるいは所定のデバイスを駆動するドライバ等のソフトウェアによって実現されてもよい。
【００３０】
表示設定情報記憶部１４では、手話映像を表示する位置に関する情報である位置情報を含む表示設定情報が記憶される。この位置情報によって、番組映像の画面において手話映像が表示される位置が決定されることになる。この位置情報は、例えば、手話映像の画面が表示される番組映像の画面における座標値を示すもの（例えば、手話映像の左上の端点の座標値など）であってもよく、手話映像の画面が表示される複数の位置があらかじめ設定されている場合には、その位置を識別する情報（例えば、「右上」「左下」や、「表示位置０１」「表示位置０２」など）であってもよい。また、表示設定情報は、手話映像を表示する大きさに関する情報である大きさ情報をも含んでいてもよく、あるいは、そうでなくてもよい。この大きさ情報は、例えば、手話映像の画面の大きさそのものを示す情報（例えば、手話映像の画面の縦・横の長さを示す情報など）であってもよく、番組映像の画面に対する手話映像の画面の相対的な大きさを示す情報（例えば、面積や長さについて５０％、３０％など）であってもよく、手話映像の画面の複数の大きさがあらかじめ設定されている場合には、その大きさを識別する情報（例えば、「大」「中」「小」など）であってもよい。
【００３１】
また、表示設定情報記憶部１４において、この表示設定情報は、番組関連情報に対応付けられて記憶されていてもよい。本実施の形態では、この場合について説明する。表示設定情報が番組関連情報に対応付けられているとは、番組関連情報から、表示設定情報を取得できればよいという意味である。したがって、表示設定情報記憶部１４において、番組関連情報と、表示設定情報とを組として含む情報が記憶されていてもよく、番組関連情報と、表示設定情報とをリンク付ける情報が表示設定情報記憶部１４において記憶されていてもよい。本実施の形態では、前者の場合について説明する。
【００３２】
表示設定情報記憶部１４に表示設定情報等が記憶される過程は問わない。例えば、記録媒体を介して表示設定情報等が表示設定情報記憶部１４で記憶されるようになってもよく、通信回線等を介して送信された表示設定情報等が表示設定情報記憶部１４で記憶されるようになってもよく、あるいは、入力デバイスを介して入力された表示設定情報等が表示設定情報記憶部１４で記憶されるようになってもよい。表示設定情報記憶部１４での記憶は、ＲＡＭ等における一時的な記憶でもよく、あるいは、長期的な記憶でもよい。表示設定情報記憶部１４は、所定の記録媒体（例えば、半導体メモリや磁気ディスク、光ディスクなど）によって実現されうる。
【００３３】
表示設定情報取得部１５は、表示設定情報記憶部１４から表示設定情報を取得する。特に本実施の形態では、表示設定情報取得部１５は、番組関連情報受付部１３が受け付けた番組関連情報に対応する表示設定情報を取得するものとする。厳密に言えば、表示設定情報取得部１５は、番組関連情報受付部１３が受け付けた番組関連情報であって、後述する表示部１６が表示する番組映像に対応する番組関連情報に、表示設定情報記憶部１４で対応付けられている表示設定情報を取得する。その表示設定情報は、後述する表示部１６が表示する番組映像と共に表示される手話映像の表示のために用いられることになる。表示部１６によって表示される番組映像に対応する番組関連情報を特定することができるように、番組映像と番組関連情報とが紐付けられていることが好適である。例えば、対応する番組映像と番組関連情報とが番組映像識別情報などによって紐付けられていてもよい。その場合には、表示設定情報取得部１５は、表示部１６によって表示される番組映像の番組映像識別情報を取得し、その番組映像識別情報に対応する番組関連情報を特定することによって、表示部１６によって表示される番組映像に対応する番組関連情報を特定することができることになる。
【００３４】
表示部１６は、表示設定情報取得部１５が取得した表示設定情報に応じて、手話映像受付部１２が受け付けた手話映像と、番組映像受付部１１が受け付けた番組映像とを表示する。すなわち、表示部１６は、表示設定情報取得部１５が取得した表示設定情報に含まれる位置情報の示す位置に、手話映像の画面を表示するように、手話映像と番組映像とを表示する。また、表示設定情報取得部１５が取得した表示設定情報に大きさ情報も含まれる場合には、表示部１６は、その大きさ情報の示す大きさの手話映像と、番組映像とを表示する。なお、この表示によって、番組映像の画面（ウィンドウ）の上（すなわち、その画面の内側）に、その画面よりも小さい画面（ウィンドウ）で手話映像が表示されることになる。したがって、通常、番組映像が主となり、手話映像が従となるように表示がなされる。
【００３５】
なお、表示部１６は、それらの表示を行う表示デバイス（例えば、ＣＲＴや液晶ディスプレイなど）を含んでもよく、あるいは含まなくてもよい。本実施の形態では、表示部１６が外部のディスプレイに表示のための映像データを出力する場合について説明する。また、表示部１６は、ハードウェアによって実現されてもよく、あるいは表示デバイスを駆動するドライバ等のソフトウェアによって実現されてもよい。
【００３６】
また、番組映像受付部１１が受け付けた番組映像や、手話映像受付部１２が受け付けた手話映像、番組関連情報受付部１３が受け付けた番組関連情報などは、図示しない記録媒体において一時的に記憶されてもよいことは言うまでもない。
【００３７】
次に、本実施の形態による手話映像表示装置１の動作について、図２のフローチャートを用いて説明する。
【００３８】
（ステップＳ１０１）番組関連情報受付部１３は、番組関連情報を受け付けたかどうか判断する。そして、番組関連情報を受け付けた場合には、ステップＳ１０２に進み、そうでない場合には、ステップＳ１０３に進む。
【００３９】
（ステップＳ１０２）表示設定情報取得部１５は、番組関連情報受付部１３が受け付けた番組関連情報を図示しない記録媒体において一時的に記憶する。そして、ステップＳ１０１に戻る。
【００４０】
（ステップＳ１０３）番組映像受付部１１は、番組映像を受け付けたかどうか判断する。そして、番組映像を受け付けた場合には、ステップＳ１０４に進み、そうでない場合には、ステップＳ１０５に進む。なお、番組映像受付部１１は、番組映像を一フレームごとに受信してもよく、あるいは、連続する複数のフレームごとに受信してもよい。
【００４１】
（ステップＳ１０４）表示部１６は、番組映像受付部１１が受け付けた番組映像を表示する。そして、ステップＳ１０１に戻る。
【００４２】
（ステップＳ１０５）手話映像受付部１２は、手話映像を受け付けたかどうか判断する。そして、手話映像を受け付けた場合には、ステップＳ１０６に進み、そうでない場合には、ステップＳ１０１に戻る。なお、手話映像受付部１２は、手話映像を一フレームごとに受信してもよく、あるいは、連続する複数のフレームごとに受信してもよい。
【００４３】
（ステップＳ１０６）表示部１６は、表示設定情報取得部１５によって表示設定情報が取得されているかどうか判断する。そして、取得されている場合、すなわち、手話映像を表示するための表示設定情報が存在する場合には、ステップＳ１０８に進み、そうでない場合には、ステップＳ１０７に進む。なお、表示部１６は、取得された表示設定情報が記憶されるべき領域に、表示設定情報が格納されているかどうかによって、表示設定情報が取得されているかどうか判断してもよい。この場合には、表示設定情報が格納されている場合に、表示設定情報が取得されていることになる。
【００４４】
（ステップＳ１０７）表示設定情報取得部１５は、一時的に記憶している番組関連情報に対応する表示設定情報を取得する。また、表示設定情報取得部１５は、その取得した表示設定情報を図示しない記録媒体において一時的に記憶してもよい。
【００４５】
（ステップＳ１０８）表示部１６は、表示設定情報取得部１５が取得した表示設定情報が示す位置や大きさで、手話映像受付部１２が受け付けた手話映像を表示する。そして、ステップＳ１０１に戻る。
【００４６】
なお、このフローチャートにおいて、電源オフや処理終了の割り込みにより処理は終了する。また、このフローチャートでは、表示部１６が、番組映像と手話映像とを別々に表示する場合について説明したが（ステップＳ１０４，Ｓ１０８）、表示部１６は、番組映像と手話映像とを一緒に表示するようにしてもよい。例えば、表示部１６は、番組映像のフレームの一部の領域に手話映像が表示されるフレームを構成し、その構成したフレームを表示してもよい。
【００４７】
また、後述する具体例で説明するように、通常、番組関連情報に応じて表示設定情報が異なるため、新たな番組映像が受け付けられた場合には、その新たな番組映像に対応する番組関連情報が受け付けられることが好適であり、また、そのようにして受け付けられた新たな番組関連情報に対応する表示設定情報が取得されることが好適である。また、そのようにして取得された新たな表示設定情報を用いて手話映像が表示されることが好適である。
【００４８】
また、このフローチャートでは、手話映像の受け付けを行った後であって、表示設定情報が存在しないときに表示設定情報の取得を行う場合について説明したが、そうでなくてもよい。例えば、表示設定情報取得部１５は、番組関連情報受付部１３が番組関連情報を受け付けた際に、その番組関連情報に対応する表示設定情報を取得してもよく、その他のタイミングで表示設定情報を取得してもよい。
【００４９】
次に、本実施の形態による手話映像表示装置１の動作について、具体例を用いて説明する。
この具体例では、手話映像表示装置１が放送された番組映像、及び手話映像を受信し、その番組映像に重畳されている番組関連情報を用いて表示設定情報の取得が行われるものとする。したがって、番組映像に、その番組映像に対応する番組関連情報が重畳されていることによって、番組映像と番組関連情報との紐付けが行われていることになる。
【００５０】
また、この具体例において、表示設定情報記憶部１４では、図３で示される情報が記憶されているものとする。図３において、番組のジャンルを示す番組関連情報と、表示設定情報とが対応付けられている。表示設定情報は、手話映像の画面の左上の位置を示す位置情報と、手話映像の画面の幅及び高さを示す大きさ情報とを含んでいる。例えば、番組関連情報「ニュース」には、位置情報（Ｘ１，Ｙ１）、大きさ情報（Ｗ１，Ｈ１）を含む表示設定情報が対応付けられている。したがって、ニュースの番組映像の場合には、手話映像の画面の左上が（Ｘ１，Ｙ１）の座標値となり、その手話映像の画面の幅がＷ１となり、高さがＨ１となるように手話映像が表示されることになる。
【００５１】
まず、手話映像表示装置１のユーザが、手話映像表示装置１を操作することによって、ニュース番組を見るようにチャンネル設定を行ったとする。すると、番組映像受付部１１において、そのチャンネルの番組映像が受信され（ステップＳ１０３）、その番組映像がディスプレイに表示される（ステップＳ１０４）。そのようにして表示された番組映像は、図４で示されるものであったとする。この番組映像受付部１１による番組映像の受信と、表示部１６による番組映像の表示とは、繰り返して実行されることになる。
【００５２】
なお、その番組映像の受信に応じて、その番組映像に重畳されている番組関連情報「ニュース」が番組映像受付部１１によって抽出され、その抽出された番組関連情報が図示しない経路を介して番組関連情報受付部１３に渡されたとする。番組関連情報受付部１３は、その番組関連情報を受け付けると表示設定情報取得部１５に渡す（ステップＳ１０１）。表示設定情報取得部１５は、その受け取った番組関連情報「ニュース」を図示しない記録媒体において一時的に記憶する（ステップＳ１０２）。
【００５３】
手話映像受付部１２は、番組映像のチャンネルと、その番組映像に対応した手話映像のチャンネルとを対応付ける情報を用いて、ユーザが設定した番組映像のチャンネルに対応する手話映像のチャンネルを特定し、そのチャンネルの手話映像を受信する（ステップＳ１０５）。その手話映像は、例えば、図５で示されるものであったとする。
【００５４】
次に、表示部１６は、表示設定情報が記憶されるべき領域を参照し、そこに表示設定情報が格納されていないことを検知して（ステップＳ１０６）、表示設定情報取得部１５に表示設定情報を取得する指示を出す。すると、表示設定情報取得部１５は、図示しない記録媒体で記憶している番組関連情報「ニュース」を読み出し、その番組関連情報を検索キーとして図３の情報を検索する。そして、検索でヒットした図３の１番目のレコードから、位置情報（Ｘ１，Ｙ１）、大きさ情報（Ｗ１，Ｈ１）を含む表示設定情報を取得し、それらを図示しない記録媒体に蓄積する（ステップＳ１０７）。
【００５５】
表示部１６は、そのようにして取得された表示設定情報を参照し、番組映像の（Ｘ１，Ｙ１）の位置が左上の端点となり、幅がＷ１，高さがＨ１となるように手話映像受付部１２が受け付けた手話映像の画面を表示する（ステップＳ１０８）。その結果、図６で示されるように、番組映像上に手話映像が表示されることになる。この手話映像受付部１２による手話映像の受信と、表示部１６による手話映像の表示とは、繰り返して時刻されることになる。このようにして、番組映像と手話映像との放送の受信が継続され、その番組映像と手話映像との表示が継続されることになる。
【００５６】
この具体例では、表示設定情報が番組のジャンルを示す番組関連情報に対応付けられている場合について説明したが、前述のように、表示設定情報は、例えば、番組の名称やその他の情報を示す番組関連情報に対応付けられていてもよいことは言うまでもない。例えば、番組の名称を示す番組関連情報に表示設定情報が対応付けられていることによって、手話映像のより細かい表示位置の制御が可能となる。
【００５７】
以上のように、本実施の形態による手話映像表示装置１によれば、表示設定情報の示す位置や大きさで、手話映像を表示することができる。また、番組関連情報受付部１３が受け付けた番組関連情報に対応する表示設定情報を用いることによって、例えば、番組のジャンルごとや、番組ごとに手話映像の表示位置や大きさを設定することができ、各番組においてできるだけ影響がないと考えられる位置に手話映像を表示することができるようになる。その結果、手話映像と番組映像とを見るユーザは、番組映像と手話映像との両方を、適切に見ることができるようになりうる。
【００５８】
なお、本実施の形態では、番組関連情報に応じた表示設定情報を用いて手話映像を表示する場合について説明したが、そうでなくてもよい。番組関連情報を用いない場合には、手話映像表示装置１は、番組関連情報受付部１３を備えていなくてもよい。また、表示設定情報記憶部１４において、表示設定情報が番組関連情報に対応付けられていなくてもよい。
【００５９】
（実施の形態２）
本発明の実施の形態２による手話映像表示装置について、図面を参照しながら説明する。本実施の形態による手話映像表示装置は、手話映像表示装置において表示設定情報を生成するものである。
【００６０】
図７は、本実施の形態による手話映像表示装置２の構成を示すブロック図である。本実施の形態による手話映像表示装置２は、番組映像受付部１１と、手話映像受付部１２と、表示設定情報記憶部１４と、表示設定情報取得部１５と、表示部１６と、オブジェクト特定情報記憶部２１と、表示設定情報生成部２２とを備える。オブジェクト特定情報記憶部２１、表示設定情報生成部２２以外の構成及び動作は、表示設定情報取得部１５が番組関連情報に対応する表示設定情報を取得するのではなく、表示設定情報記憶部１４で記憶されている表示設定情報を単に取得する以外は、実施の形態１と同様であり、その説明を省略する。
【００６１】
オブジェクト特定情報記憶部２１では、手話映像によって覆われたくないオブジェクトを特定するための情報であるオブジェクト特定情報が記憶される。例えば、野球の番組である場合には、点数やカウント（ストライク、ボール、アウトのカウント）であってもよく、ニュースの番組である場合には、アナウンサーの顔や、ニュースの概要を示す文字であってもよく、ドラマの番組である場合には、人物であってもよい。オブジェクト特定情報は、手話映像によって覆われたくないオブジェクトを特定するための情報であれば、その内容を問わない。例えば、パターンマッチングで用いるパターンの図形であってもよく、オブジェクトの属性を指定する情報であってもよい。例えば、オブジェクトが野球のカウントである場合には、オブジェクト特定情報は、「Ｓ」「Ｂ」「Ｏ」の文字が直線上に並んでいることであってもよい。このようなオブジェクト特定情報を用いることによって、縦一列や横一列に並ぶ「Ｓ」「Ｂ」「Ｏ」の文字の領域（この領域がカウントの領域に対応する）を特定することができる。また、例えば、オブジェクトが人物である場合には、オブジェクト特定情報は、肌色検出を行い、検出された肌色を含む領域を、輪郭抽出を行うことによって特定する手順を示す情報であってもよい。このようなオブジェクト特定情報を用いることによって、番組映像における人物の領域を特定することができる。なお、例えば、人物やその他のオブジェクトの領域を特定する方法としては、すでに多くの方法が知られており、それらに応じたオブジェクト特定情報がオブジェクト特定情報記憶部２１で記憶されていてもよいことは言うまでもない。
【００６２】
オブジェクト特定情報記憶部２１にオブジェクト特定情報が記憶される過程は問わない。例えば、記録媒体を介してオブジェクト特定情報がオブジェクト特定情報記憶部２１で記憶されるようになってもよく、通信回線等を介して送信されたオブジェクト特定情報がオブジェクト特定情報記憶部２１で記憶されるようになってもよく、あるいは、入力デバイスを介して入力されたオブジェクト特定情報がオブジェクト特定情報記憶部２１で記憶されるようになってもよい。オブジェクト特定情報記憶部２１での記憶は、ＲＡＭ等における一時的な記憶でもよく、あるいは、長期的な記憶でもよい。オブジェクト特定情報記憶部２１は、所定の記録媒体（例えば、半導体メモリや磁気ディスク、光ディスクなど）によって実現されうる。
【００６３】
表示設定情報生成部２２は、番組映像受付部１１が受け付けた番組映像から表示設定情報を生成し、表示設定情報記憶部１４に蓄積する。本実施の形態では、表示設定情報生成部２２は、番組映像受付部１１が受け付けた番組映像に対して動き検出を行い、動きのない領域に手話映像を表示する表示設定情報を生成する。ここで、「動きのない領域」とは、例えば、動きが全くない領域であってもよく、他の領域と比較して動きが少ない領域であってもよい。なお、動き検出の方法は、例えば、ブロックマッチング法や勾配法などがすでに知られており、その詳細な説明を省略する。
【００６４】
また、本実施の形態では、表示設定情報生成部２２は、番組映像受付部１１が受け付けた番組映像に、オブジェクト特定情報で特定されるオブジェクトが存在する場合に、そのオブジェクトを覆わない領域に手話映像を表示する表示設定情報を生成するものとする。例えば、表示設定情報生成部２２は、『「Ｓ」「Ｂ」「Ｏ」の文字が直線上に並んでいること』を示すオブジェクト特定情報に応じて、番組映像上において文字認識を行い、「Ｓ」「Ｂ」「Ｏ」の文字が含まれるかどうか判断し、含まれる場合には、それらが直線上に並んでいるかどうか判断する。そして、直線上に並んでいる場合には、表示設定情報生成部２２は、その「Ｓ」「Ｂ」「Ｏ」の文字の領域をオブジェクトとして特定する。また、例えば、表示設定情報生成部２２は、人物を特定する情報であるオブジェクト特定情報に応じて、肌色検出等を行うことによって、人物の領域を特定してもよい。また、表示設定情報生成部２２は、オブジェクトの領域よりもさらに広い領域を覆わないように手話映像を表示する表示設定情報を生成してもよい。オブジェクトの領域よりもさらに広い領域とは、例えば、オブジェクトと、オブジェクトの外周の領域（例えば、オブジェクトの最外縁の位置から、所定の長さだけオブジェクトから離れた位置までの範囲でもよい）とを含む領域であってもよい。また、表示設定情報生成部２２は、オブジェクトの外縁の一部に手話映像の一部が表示されるように表示設定情報を生成してもよい。すなわち、オブジェクトの一部と手話映像の一部とが重なってもよい。オブジェクトの外縁のあたりは、オブジェクトの中心のあたりに比較して重要度が低いとも考えられるからである。
【００６５】
なお、表示設定情報生成部２２は、番組映像の表示領域を複数のブロックに分け、そのブロック単位で動き検出や、オブジェクトを覆うかどうかの判定等を行ってもよい。本実施の形態では、このようにブロック単位で動き検出等を行う場合について説明する。
【００６６】
なお、本実施の形態では、表示設定情報取得部１５は、表示設定情報の取得を繰り返して実行してもよい。前述のように、表示設定情報生成部２２が新たな表示設定情報を表示設定情報記憶部１４に蓄積するため、その新たな表示設定情報を取得し、その新たな表示設定情報に応じた表示を行うためである。表示設定情報取得部１５は、例えば、定期的（例えば、１分ごと、５分ごと、３０分ごとなど）に最新の表示設定情報を取得してもよく、表示設定情報記憶部１４に新たに生成された表示設定情報が記憶されるごとに、表示設定情報記憶部１４で記憶されている最新の表示設定情報を取得してもよい。表示設定情報生成部２２が上書きで表示設定情報を表示設定情報記憶部１４に蓄積する場合には、表示設定情報記憶部１４で記憶されている表示設定情報が最新の表示設定情報となる。一方、表示設定情報生成部２２が上書きしないで表示設定情報を表示設定情報記憶部１４に蓄積する場合には、最後に蓄積された表示設定情報が最新の表示設定情報となる。
【００６７】
また、表示部１６は、表示設定情報取得部１５が表示設定情報を取得するごとに、最新の表示設定情報に応じて手話映像を表示することになる。
【００６８】
なお、表示設定情報記憶部１４と、オブジェクト特定情報記憶部２１とは、同一の記録媒体によって実現されてもよく、あるいは、別々の記録媒体によって実現されてもよい。前者の場合には、例えば、表示設定情報を記憶している領域が表示設定情報記憶部１４となり、オブジェクト特定情報を記憶している領域がオブジェクト特定情報記憶部２１となる。
【００６９】
次に、本実施の形態による手話映像表示装置２の動作について、図８のフローチャートを用いて説明する。
【００７０】
（ステップＳ２０１）番組映像受付部１１は、番組映像を受け付けたかどうか判断する。そして、番組映像を受け付けた場合には、ステップＳ２０２に進み、そうでない場合には、ステップＳ２０４に進む。なお、番組映像受付部１１は、番組映像を一フレームごとに受信してもよく、あるいは、連続する複数のフレームごとに受信してもよい。
【００７１】
（ステップＳ２０２）表示部１６は、番組映像受付部１１が受け付けた番組映像を表示する。
【００７２】
（ステップＳ２０３）表示設定情報生成部２２は、表示設定情報の生成のために、受け付けられた番組映像を一時的に記憶する。そして、ステップＳ２０１に戻る。
【００７３】
（ステップＳ２０４）手話映像受付部１２は、手話映像を受け付けたかどうか判断する。そして、手話映像を受け付けた場合には、ステップＳ２０５に進み、そうでない場合には、ステップＳ２０６に進む。なお、手話映像受付部１２は、手話映像を一フレームごとに受信してもよく、あるいは、連続する複数のフレームごとに受信してもよい。
【００７４】
（ステップＳ２０５）表示部１６は、表示設定情報取得部１５が取得した表示設定情報が示す位置や大きさで、手話映像受付部１２が受け付けた手話映像を表示する。そして、ステップＳ２０１に戻る。なお、このステップＳ２０５の処理が実行されるまでに、ステップＳ２０９での表示設定情報の取得が行われているものとする。
【００７５】
（ステップＳ２０６）表示設定情報生成部２２は、表示設定情報を生成するかどうか判断する。そして、生成する場合には、ステップＳ２０７に進み、そうでない場合には、ステップＳ２０８に進む。表示設定情報生成部２２は、例えば、定期的に（例えば、１０秒ごと、３０秒ごと、１分ごとなど）に、表示設定情報を生成すると判断してもよく、あらかじめ決められているイベントの発生（例えば、番組映像におけるシーンチェンジの発生でもよい。なお、シーンチェンジを検出する方法はすでに公知である）を契機として、表示設定情報を生成すると判断してもよく、あるいは、その他のタイミングで表示設定情報を生成すると判断してもよい。
【００７６】
（ステップＳ２０７）表示設定情報生成部２２は、表示設定情報を生成する。この処理の詳細については、図９のフローチャートを用いて後述する。
【００７７】
（ステップＳ２０８）表示設定情報取得部１５は、表示設定情報を取得するかどうか判断する。そして、表示設定情報を取得する場合には、ステップＳ２０９に進み、そうでない場合には、ステップＳ２０１に戻る。表示設定情報取得部１５は、例えば、定期的に（例えば、１０秒ごと、３０秒ごと、１分ごとなど）に、表示設定情報を取得すると判断してもよく、あらかじめ決められているイベントの発生（例えば、新たな表示設定情報が表示設定情報記憶部１４に蓄積されたことでもよい）を契機として、表示設定情報を取得すると判断してもよく、あるいは、その他のタイミングで表示設定情報を取得すると判断してもよい。
【００７８】
（ステップＳ２０９）表示設定情報取得部１５は、表示設定情報記憶部１４で記憶されている最新の表示設定情報を取得する。また、表示設定情報取得部１５は、その取得した表示設定情報を図示しない記録媒体において一時的に記憶してもよい。そして、ステップＳ２０１に戻る。
【００７９】
なお、このフローチャートにおいて、電源オフや処理終了の割り込みにより処理は終了する。また、このフローチャートでは、表示部１６が、番組映像と手話映像とを別々に表示する場合について説明したが（ステップＳ２０２，Ｓ２０５）、表示部１６は、番組映像と手話映像とを一緒に表示するようにしてもよい。例えば、表示部１６は、番組映像のフレームの一部の領域に手話映像が表示されるフレームを構成し、その構成したフレームを表示してもよい。
【００８０】
図９は、図８のフローチャートにおける表示設定情報の生成（ステップＳ２０７）の処理の詳細を示すフローチャートである。なお、このフローチャートでは、番組映像を複数のブロックに分けて、そのブロックごとに処理する場合について説明する。
【００８１】
（ステップＳ３０１）表示設定情報生成部２２は、ブロックごとに動き検出を行う。
【００８２】
（ステップＳ３０２）表示設定情報生成部２２は、オブジェクト特定情報記憶部２１で記憶されているオブジェクト特定情報を用いて、番組映像上のオブジェクトを特定し、そのオブジェクトを含むブロックを検出する。なお、このブロックの検出において、例えば、特定されたオブジェクトがブロックの面積の所定の割合（例えば、５０％）以上を占める場合に、オブジェクトを含むブロックであるとしてもよい。
【００８３】
（ステップＳ３０３）表示設定情報生成部２２は、ステップＳ３０２でオブジェクトを含むブロックが検出された場合には、そのオブジェクトを含むブロック以外のブロックであって、ステップＳ３０１で検出した動きの程度が小さい１以上のブロックを、手話映像を表示するブロックに決定する。なお、手話映像を表示するブロックの範囲は、あらかじめその大きさが決められていてもよく（例えば、２×２のブロックに決められていてもよい）、あるいは、そのブロックの最大値のみが決められていてもよい（例えば、ブロックの最大値が３×３のブロックに決められていてもよい）。前者の場合には、例えば、表示設定情報生成部２２は、そのブロックの範囲を、特定されたオブジェクトを含まないブロックであって、動きの程度が最も小さくなるブロックの範囲に決定してもよい。後者の場合には、例えば、表示設定情報生成部２２は、そのブロックの範囲を、特定されたオブジェクトを含まないブロックであって、動きの程度があらかじめ決められているしきい値以下となるブロックの範囲（ただし、全てのブロックの動きの程度がしきい値を超えている場合には、動きの程度が最も小さいブロック）に決定してもよい。
【００８４】
（ステップＳ３０４）表示設定情報生成部２２は、ステップＳ３０３で決定したブロックの範囲に手話映像が表示されるように、表示設定情報を生成する。
【００８５】
（ステップＳ３０５）表示設定情報生成部２２は、その生成した表示設定情報を、表示設定情報記憶部１４に蓄積する。そして、図８のフローチャートに戻る。
【００８６】
次に、本実施の形態による手話映像表示装置２の動作について、具体例を用いて説明する。
この具体例でも、手話映像表示装置２が放送された番組映像、及び手話映像を受信し、その番組映像に重畳されている番組関連情報を用いて表示設定情報の取得が行われるものとする。また、この具体例では、表示設定情報が位置情報のみを含む場合について説明する。また、この具体例では、表示設定情報生成部２２は、１０秒ごとに表示設定情報を生成するものとする。また、この具体例では、人物を特定するためのオブジェクト特定情報がオブジェクト特定情報記憶部２１で記憶されているものとする。また、この具体例では、２×２のブロックが手話映像の表示領域として特定されるものとする。したがって、手話映像の表示の大きさは、その２×２のブロックの大きさにあらかじめ決められていることになる。また、表示設定情報取得部１５は、表示設定情報が蓄積されたタイミングで、新たな表示設定情報を取得すると判断するものとする。
【００８７】
また、この具体例では、図１０で示されるように、番組映像を４×５のブロックに分けて、そのブロックごとに動き検出などを行うものとする。ブロック上の「Ｂ０１」「Ｂ０２」などは、ブロックを識別するブロックＩＤである。また、各ブロックの左上の端点の座標値があらかじめ図示しない記録媒体において記憶されているものとする。
【００８８】
まず、手話映像表示装置２のユーザが、手話映像表示装置２を操作することによって、ニュース番組を見るようにチャンネル設定を行ったとする。すると、番組映像受付部１１において、そのチャンネルの番組映像が受信され（ステップＳ２０１）、その番組映像がディスプレイに表示される（ステップＳ２０２）。そのようにして表示された番組映像は、図４で示されるものであったとする。また、その番組映像受付部１１が受け付けた番組映像は、表示設定情報生成部２２に渡され、その表示設定情報生成部２２において一時的に記憶される（ステップＳ２０３）。
【００８９】
手話映像受付部１２は、番組映像のチャンネルと、その番組映像に対応した手話映像のチャンネルとを対応付ける情報を用いて、ユーザが設定した番組映像のチャンネルに対応する手話映像のチャンネルを特定し、そのチャンネルの手話映像を受信する（ステップＳ２０４）。その手話映像は、例えば、図５で示されるものである。表示部１６は、表示設定情報取得部１５がそれまでに取得している表示設定情報に応じて手話映像を表示する（ステップＳ２０５）。したがって、この場合の手話映像の表示は、番組映像に応じていない不適切なものとなりうる。この番組映像受付部１１による番組映像の受信と、表示部１６による番組映像の表示とは、繰り返して実行されることになる。
【００９０】
次に、番組映像受付部１１が第１１フレーム目の番組映像を受信した時点で、表示設定情報生成部２２は、表示設定情報の生成を行うと判断したとする（ステップＳ２０６）。そして、それらの番組映像を用いて、表示設定情報の生成が行われる（ステップＳ２０７）。具体的には、表示設定情報生成部２２は、図１０で示されるブロックごとに、動き検出を行う（ステップＳ３０１）。この動き検出は、各ブロックにおいて、時間的に隣接するフレーム間の類似度を算出することによって行うものとする。具体的には、第１フレームのブロックＩＤ「Ｂ０１」で識別されるブロック（このブロックを「ブロックＢ０１」と呼ぶことにする。他のブロックについても同様であるとする）について、第１フレームと、第２フレームとの間の類似度を算出する。その類似度が１００％であれば、まったく変化がないことになり、動きのないブロックとなる。一方、その類似度が１００％未満であれば、その類似度に応じた変化（動き）が存在したことになる。類似度が低いほど、変化（動き）が大きくなることは自明である。この具体例では、最新の１０個の類似度の平均を用いて、動き検出を行うものとする。したがって、表示設定情報生成部２２は、ブロックごとに、最新の１０個の隣接するフレーム間の類似度を算出し、また、その算出した１０個の類似度の平均を算出して、図１１で示されるように、図示しない記録媒体に蓄積する。図１１において、ブロックＩＤと、類似度の平均とが対応付けられている。例えば、ブロックＢ０１の類似度の平均が１００％であり、ブロックＢ０１では、１０フレームにわたって変化が全くなかったことが示されている。
【００９１】
次に、表示設定情報生成部２２は、人物を特定するオブジェクト特定情報を読み出し、番組映像の最新のフレームを用いて人物の特定を行う。そして、その特定した人物の領域を含むブロックＩＤを、図示しない記録媒体に蓄積する（ステップＳ３０２）。この場合には、ブロックＩＤ「Ｂ０６」「Ｂ０７」「Ｂ０８」「Ｂ１１」「Ｂ１２」「Ｂ１３」「Ｂ１６」「Ｂ１７」「Ｂ１８」がオブジェクトを含むブロックのブロックＩＤとして蓄積され、一時的に記憶されるものとする。
【００９２】
すると、表示設定情報生成部２２は、その一時的に記憶されているオブジェクトを含むブロックＩＤで識別されるブロックを含まない２×２のブロックであって、その４個のブロックの類似度の合計が最も大きい２×２のブロックを特定する（ステップＳ３０３）。この場合には、ブロックＢ１４，Ｂ１５，Ｂ１９，Ｂ２０がそのようにして特定されたとする。
【００９３】
表示設定情報生成部２２は、その２×２のブロックの左上の端点に対応する座標値（Ｘ１０１，Ｙ１０１）を取得し（ステップＳ３０４）、その座標値を表示設定情報記憶部１４に蓄積する（ステップＳ３０５）。その結果、図１２で示される表示設定情報が表示設定情報記憶部１４で記憶されるようになる。
【００９４】
新たな表示設定情報が蓄積されたため、表示設定情報取得部１５は、表示設定情報を取得するタイミングであると判断し（ステップＳ２０８）、図１２で示される表示設定情報を表示設定情報記憶部１４から取得して、図示しない記録媒体に蓄積する（ステップＳ２０９）。その後、手話映像が表示される際には、図１３で示されるように、ブロックＢ１４，Ｂ１５，Ｂ１９，Ｂ２０の領域に手話映像が表示されることになる（ステップＳ２０４，Ｓ２０５）。
【００９５】
なお、この具体例では、表示設定情報生成部２２が表示設定情報のうちの位置情報のみを生成する場合について説明したが、表示設定情報生成部２２は、大きさ情報も生成してもよい。この具体例の場合には、その大きさ情報は、いつも同じ情報となる。
【００９６】
以上のように、本実施の形態による手話映像表示装置２によれば、動的に表示設定情報を生成することにより、各番組映像において最適な位置に手話映像を表示することができるようになる。動きのない領域に手話映像を表示することによって、ユーザが見たいであろう動きのある領域を手話映像によって隠すことを回避できうる。また、オブジェクト特定情報によって特定されるオブジェクトの領域を避けて手話映像を表示することによって、手話映像によって隠したくない領域が確実にユーザに見られるようにすることができる。
【００９７】
なお、本実施の形態では、オブジェクト特定情報で特定されるオブジェクトを覆わない領域に手話映像を表示する表示設定情報を生成する場合について説明したが、そうでなくてもよい。オブジェクト特定情報を用いた表示設定情報の生成を行わない場合には、手話映像表示装置２は、オブジェクト特定情報記憶部２１を備えていなくてもよく、また、表示設定情報生成部２２は、オブジェクト特定情報を用いた表示設定情報の生成を行わなくてもよい。
【００９８】
また、本実施の形態では、動き検出を行って、動きのない領域に手話映像を表示する表示設定情報を生成する場合について説明したが、そうでなくてもよい。表示設定情報生成部２２は、動き検出を行わないで表示設定情報を生成してもよい。その場合には、例えば、オブジェクト特定情報を用いた表示設定情報の生成を行ってもよい。
【００９９】
また、上記各実施の形態の具体例において、まず番組映像が表示された後に、手話映像を含む番組映像が表示されるようになる場合について説明したが、番組映像のみが表示されている期間は、１，２フレーム程度であり、１／３０〜２／３０秒程度であるため、あまり影響はないと考えられる。一方、はじめから番組映像と手話映像とが同時に表示されるようにしてもよい。その場合には、手話映像を表示することができるようになるまで、すなわち、表示設定情報の取得等が行われるまで番組映像の表示を行わず、手話映像を表示できるようになってから、手話映像と番組映像とを表示するようにしてもよい。
【０１００】
また、上記各実施の形態では、手話映像表示装置１，２がスタンドアロンである場合について説明したが、手話映像表示装置１，２は、スタンドアロンの装置であってもよく、サーバ・クライアントシステムにおけるサーバ装置であってもよい。後者の場合には、表示部や受付部は、通信回線を介して情報を表示したり、情報を受け付けたりしてもよい。
【０１０１】
また、上記各実施の形態において、各処理または各機能は、単一の装置または単一のシステムによって集中処理されることによって実現されてもよく、あるいは、複数の装置または複数のシステムによって分散処理されることによって実現されてもよい。
【０１０２】
また、上記各実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１０３】
また、上記各実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１０４】
また、上記各実施の形態において、手話映像表示装置１，２に含まれる２以上の構成要素が通信デバイスや入力デバイス等を有する場合に、２以上の構成要素が物理的に単一のデバイスを有してもよく、あるいは、別々のデバイスを有してもよい。
【０１０５】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における手話映像表示装置を実現するソフトウェアは、以下のようなプログラムである。つまり、このプログラムは、コンピュータを、番組の映像である番組映像を受け付ける番組映像受付部、前記番組映像に対応した手話の映像である手話映像を受け付ける手話映像受付部、前記手話映像を表示する位置に関する情報である位置情報を含む表示設定情報が記憶される表示設定情報記憶部から表示設定情報を取得する表示設定情報取得部、前記表示設定情報取得部が取得した表示設定情報に応じて、前記手話映像受付部が受け付けた手話映像と、前記番組映像受付部が受け付けた番組映像とを表示する表示部、として機能させるためのものである。
【０１０６】
なお、上記プログラムにおいて、上記プログラムが実現する機能には、ハードウェアでしか実現できない機能は含まれない。例えば、情報を取得する取得部や、情報を受け付ける受付部、情報を表示する表示部などにおけるモデムやインターフェースカードなどのハードウェアでしか実現できない機能は、上記プログラムが実現する機能には少なくとも含まれない。
【０１０７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１０８】
また、このプログラムを実行するコンピュータは、単数であってもよく、複数であってもよい。すなわち、集中処理を行ってもよく、あるいは分散処理を行ってもよい。
【０１０９】
図１４は、上記プログラムを実行して、上記各実施の形態による手話映像表示装置１，２を実現するコンピュータの外観の一例を示す模式図である。上記各実施の形態は、コンピュータハードウェア及びその上で実行されるコンピュータプログラムによって実現されうる。
【０１１０】
図１４において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１１１】
図１５は、コンピュータシステム９００の内部構成を示す図である。図１５において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１１２】
コンピュータシステム９００に、上記各実施の形態による手話映像表示装置１，２の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１１３】
プログラムは、コンピュータ９０１に、上記各実施の形態による手話映像表示装置１，２の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１１４】
また、本発明は、以上の実施の形態に限定されることなく、種々の変更が可能であり、それらも本発明の範囲内に包含されるものであることは言うまでもない。
【産業上の利用可能性】
【０１１５】
以上より、本発明による手話映像表示装置等によれば、記憶されている表示設定情報を用いて手話映像を表示することができ、手話映像を表示する装置等として有用である。
【図面の簡単な説明】
【０１１６】
【図１】本発明の実施の形態１による手話映像表示装置の構成を示すブロック図
【図２】同実施の形態による手話映像表示装置の動作を示すフローチャート
【図３】同実施の形態における番組関連情報と表示設定情報との対応の一例を示す図
【図４】同実施の形態における番組映像の一例を示す図
【図５】同実施の形態における手話映像の一例を示す図
【図６】同実施の形態における手話映像と番組映像との表示の一例を示す図
【図７】本発明の実施の形態２による手話映像表示装置の構成を示すブロック図
【図８】同実施の形態による手話映像表示装置の動作を示すフローチャート
【図９】同実施の形態による手話映像表示装置の動作を示すフローチャート
【図１０】同実施の形態におけるブロックについて説明するための図
【図１１】同実施の形態におけるブロックＩＤと類似度の平均との対応の一例を示す図
【図１２】同実施の形態における表示設定情報の一例を示す図
【図１３】同実施の形態における手話映像と番組映像との表示の一例を示す図
【図１４】同実施の形態におけるコンピュータシステムの外観一例を示す模式図
【図１５】同実施の形態におけるコンピュータシステムの構成の一例を示す図
【符号の説明】
【０１１７】
１、２  手話映像表示装置
１１  番組映像受付部
１２  手話映像受付部
１３  番組関連情報受付部
１４  表示設定情報記憶部
１５  表示設定情報取得部
１６  表示部
２１  オブジェクト特定情報記憶部
２２  表示設定情報生成部
【図１】
2010147649.tif 000003
【図２】
2010147649.tif 000004
【図３】
2010147649.tif 000005
【図４】
2010147649.tif 000006
【図５】
2010147649.tif 000007
【図６】
2010147649.tif 000008
【図７】
2010147649.tif 000009
【図８】
2010147649.tif 000010
【図９】
2010147649.tif 000011
【図１０】
2010147649.tif 000012
【図１１】
2010147649.tif 000013
【図１２】
2010147649.tif 000014
【図１３】
2010147649.tif 000015
【図１４】
2010147649.tif 000016
【図１５】
2010147649.tif 000017